(57)【要約】【課題】外力によるガスケット保持溝１１内でのガスケット３の倒れを生じにくくして、信頼性の高い電子機器の防水構造を提供する。【解決手段】電子機器の外殻ケースを構成する第一ケース部材１と第二ケース部材２のうち一方の外周部に周設したガスケット保持溝１１に、ゴム状弾性材料からなるガスケット３を保持してなり、このガスケット３が、第一ケース部材１と第二ケース部材２のうち他方に密接されるメインシール部３１と、ガスケット保持溝１１の底面１１ａに密接される複数の着座シール部３２と、メインシール部３１と着座シール部３２との間の側面部に張り出し形成されてガスケット保持溝１１の溝肩１１ｂに近接される全周連続した肩部３３とを有する。【選択図】図１
2008249139.tif 000002
【特許請求の範囲】
【請求項１】
電子機器の外殻ケースを構成する第一ケース部材と第二ケース部材のうち一方の外周部にガスケット保持溝を周設し、ゴム状弾性材料からなるガスケットを、前記第一ケース部材と第二ケース部材のうち他方と、前記ガスケット保持溝の底面に密接させてなる防水構造において、前記ガスケットが、前記第一ケース部材と第二ケース部材のうち他方に密接されるメインシール部と、前記ガスケット保持溝の底面に密接される複数の着座シール部と、前記メインシール部と着座シール部との間の側面部に張り出し形成されて前記ガスケット保持溝の溝肩に近接される全周連続した肩部とを有することを特徴とする電子機器の防水構造。
【請求項２】
ガスケットの着座シール部から肩部までの高さを、ガスケット保持溝の底面から溝肩までの高さに対して１００〜９２％としたことを特徴とする請求項１に記載の電子機器の防水構造。
【発明の詳細な説明】
【技術分野】
【０００１】
本発明は、小型携帯端末機器などの電子機器の防水構造に関する。
【背景技術】
【０００２】
近年、小型携帯端末機器である携帯電話機は、通話機能や、ウェブメールの送受信、インターネットなどの通信機能ばかりでなく、音楽や画像の録音・再生機能、ゲーム機能、ＧＰＳによるナビゲーション機能、電子マネー機能など、多機能化が急速に進んでいる。したがって、しっかり防水されていないと、過って水中に落としたり、降雨などで濡れたりした時に、水や水蒸気の侵入によって故障し、重大な損害を受けるおそれがある。
【０００３】
図５は、従来技術による防水構造を示す断面図、図６は、従来技術による防水構造におけるガスケットが外力により倒れた状態を示す断面図である。
【０００４】
すなわち従来技術による防水構造においては、図５に示されるように、外殻ケース１００を構成する第一ケース部材１０１と第二ケース部材１０２のうちの一方（図示の例では第一ケース部材１０１）に、その外周に沿ってガスケット保持溝１０１ａを設け、このガスケット保持溝１０１ａに保持したガスケット１０３が、外殻ケース１００の組立状態において、第一ケース部材１０１と第二ケース部材１０２間で適当に圧縮されることにより、外部ダストや水などに対する密封機能を発揮するものである。ガスケット１０３は、ゴム状弾性材料からなるものであって、第二ケース部材１０２に密接されるメインシール部１０３ａと、ガスケット保持溝１０１ａの底面に密接状態に着座する複数の着座シール部１０３ｂとを有する。
【０００５】
なお、図５のような異形断面のガスケットを用いて通信機器等のケース分割部を防水する技術としては、例えば下記の特許文献のようなものが知られている。
【特許文献１】実開昭５８−１８４８８０号公報
【０００６】
しかし、従来の防水用ガスケットによれば、外殻ケース１００の組立過程などにおいて、図６に示されるように、外力Ｆによってガスケット保持溝１０１ａ内でのガスケット１０３の倒れが発生すると、密封性が損なわれ、僅かな水圧でも外部からの水の侵入を生じてしまうおそれがある。
【０００７】
また、このようなガスケット１０３の倒れを防止するには、ガスケット１０３をガスケット保持溝１０１ａに圧入する構造とすることが考えられるが、携帯電話機のような小型携帯端末機器に用いられるガスケット１０３は、その幅Ｗも小さなものであるため、ガスケット１０３をガスケット保持溝１０１ａへ圧入する構造とした場合は、組立の作業効率が著しく悪化し、しかもガスケット１０３の損傷が起こりやすくなる問題がある。
【発明の開示】
【発明が解決しようとする課題】
【０００８】
本発明は、以上のような点に鑑みてなされたものであって、その技術的課題とするところは、外力によるガスケット保持溝内でのガスケットの倒れを生じにくくして、信頼性の高い電子機器の防水構造を提供することにある。
【課題を解決するための手段】
【０００９】
上述した技術的課題を有効に解決するための手段として、本発明に係る電子機器の防水構造は、電子機器の外殻ケースを構成する第一ケース部材と第二ケース部材のうち一方の外周部にガスケット保持溝を周設し、ゴム状弾性材料からなるガスケットを、前記第一ケース部材と第二ケース部材のうち他方と、前記ガスケット保持溝の底面に密接させてなる防水構造において、前記ガスケットが、前記第一ケース部材と第二ケース部材のうち他方に密接されるメインシール部と、前記ガスケット保持溝の底面に密接される複数の着座シール部と、前記メインシール部と着座シール部との間の側面部に張り出し形成されて前記ガスケット保持溝の溝肩に近接される全周連続した肩部とを有するものである。
【００１０】
そしてこの場合、ガスケットの着座シール部から肩部までの高さを、ガスケット保持溝の底面から溝肩までの高さに対して１００〜９２％とし、好ましくは１００〜９６％とする。
【００１１】
上記構成によれば、外殻ケースの組立過程などにおいて、ガスケット保持溝に収容したガスケットに、倒れる方向の外力が作用しても、このガスケットは、メインシール部と着座シール部との間の側面部に張り出し形成された全周連続した肩部が、ガスケット保持溝の溝肩の内側面に接触することにより支持されるので、溝内でのガスケットの倒れが抑制され、メインシール部の所要のシール面圧が確保される。また、ガスケット保持溝にガスケットを圧入するものではないので、装着の容易性も確保される。
【発明の効果】
【００１２】
本発明に係る電子機器の防水構造によれば、外力によるガスケット保持溝内でのガスケットの倒れが生じにくくなるので、防水機能の信頼性を向上することができる。
【発明を実施するための最良の形態】
【００１３】
以下、本発明に係る電子機器の防水構造の好ましい実施の形態について、図面を参照しながら説明する。まず図１は、本発明に係る電子機器の防水構造の第一の形態を示す断面図である。この図１において、参照符号１は第一ケース部材、参照符号２は第二ケース部材で、外周部が互いに衝合した状態に組み立てられることによって、携帯電話機等の下部ユニットや上部ユニットの外殻ケースを構成するものである。
【００１４】
第一ケース部材１における第二ケース部材２との対向面には、外周に沿ってガスケット保持溝１１が形成されており、このガスケット保持溝１１には、その底面１１ａと第二ケース部材２との間で適当に圧縮されることにより、外部ダストや水などに対する密封機能を発揮するガスケット３が保持されている。
【００１５】
ガスケット３は、ゴム状弾性材料で無端状に成形されたものであって、ガスケット保持溝１１の外側へ突出して第二ケース部材２に密接される断面山形のメインシール部３１と、その反対側を向き、ガスケット保持溝１１の底面１１ａに着座される内外周一対の断面円弧形の互いに平行な着座シール部３２と、前記メインシール部３１と着座シール部３２との間の両側面部に張り出し形成され、言い換えればメインシール部３１の裾部にそれぞれ全周連続して張り出し形成されてガスケット保持溝１１の溝肩１１ｂ，１１ｂに近接される一対の肩部３３とを有する。
【００１６】
ガスケット３の幅は、ガスケット保持溝１１に遊嵌可能な大きさであって、肩部３３は、着座シール部３２の側面と略同一平面をなし、かつ溝肩１１ｂと略同一の高さ、詳しくは、着座シール部３２から肩部３３までの高さが、ガスケット保持溝１１の底面１１ａから溝肩１１ｂまでの高さ（言い換えれば溝深さ）に対して１００〜９２％、さらに好ましくは１００〜９６％となっている。
【００１７】
また、ガスケット３の断面積は、第一ケース部材１におけるガスケット保持溝１１の底面１１ａと第二ケース部材２との間で圧縮されたときの、前記ガスケット保持溝１１に対するガスケット３の充填率が１００％を越えない範囲で、両側面３４がガスケット保持溝１１における両内側面１１ｃに可及的に接近した状態となる大きさとすることが好ましい。
【００１８】
上述の構成によれば、外殻ケースの組立過程などにおいて、図２に示されるように、ガスケット保持溝１１内のガスケット３を倒す方向外力Ｆが作用すると、ガスケット３の一方の肩部３３が、ガスケット保持溝１１における一方の溝肩１１ｂの内側面１１ｃに接触することにより支持される。したがって、ガスケット保持溝１１の溝幅及びガスケット３の幅が、先に説明した図５及び図６に示されるガスケット保持溝１０１ａの溝幅及びガスケット１０３の幅と同一である場合、このガスケット１０３に比較して、図１及び図２に示される第一の形態に係るガスケット３のほうが、倒れが小さく抑制される。
【００１９】
このため、ガスケット３の倒れに起因するメインシール部３１のシール面圧の低下が抑制され、所要の防水性が確保される。また、ガスケット保持溝１１に対するガスケット３の幅方向のサイズは、基本的に図５と同様であって、ガスケット３をガスケット保持溝１１に圧入するものではないので、装着の容易性も確保される。
【００２０】
なお、ガスケット３の肩部３３の高さをガスケット保持溝１１の底面１１ａから溝肩１１ｂまでの高さに対して１００％以下としたのは、肩部３３の高さが溝肩１１ｂよりも高いと、第一ケース部材１におけるガスケット保持溝１１の底面１１ａと第二ケース部材２との間でガスケット３が圧縮されたときに、肩部３３が第二ケース部材２と干渉するおそれがあるからであり、９２％以上、好ましくは９６％以上としたのは、肩部３３の高さが９２％より低いと、ガスケット３を倒す方向外力Ｆが作用したときに、ガスケット３の一方の肩部３３がガスケット保持溝１１における一方の溝肩１１ｂの内側面１１ｃに接触することによる倒れ防止効果が得られにくくなることが、実験により判明したからである。
【００２１】
図３は、本発明に係る電子機器の防水構造の第二の形態を示す断面図、図４は、同じく第三の形態を示す断面図である。
【００２２】
これらの実施の形態も、上述の形態と同様の技術思想を有するものであって、このうち、図３に示される第二の形態は、ガスケット保持溝１１の外側へ突出して第二ケース部材２に密接される断面山形のメインシール部３１と、その反対側を向き、ガスケット保持溝１１の底面１１ａに着座される互いに平行な３本の断面円弧形の着座シール部３２とを有するガスケット３に、メインシール部３１と着座シール部３２との間の両側面部に位置する肩部３３を全周連続して張り出し形成したものである。
【００２３】
また、図４に示される第三の形態は、ガスケット保持溝１１の外側へ突出して第二ケース部材２に密接される断面円弧形の互いに平行な内外周一対のメインシール部３１と、その反対側を向き、ガスケット保持溝１１の底面１１ａに着座される断面円弧形の互いに平行な３本の着座シール部３２とを有するガスケット３に、メインシール部３１と着座シール部３２との間の両側面部に位置する肩部３３を全周連続して張り出し形成したものである。
【００２４】
これらの形態でも、ガスケット３の着座シール部３２から肩部３３までの高さは、ガスケット保持溝１１の底面１１ａから溝肩１１ｂまでの高さ（言い換えれば溝深さ）に対して１００〜９２％、さらに好ましくは１００〜９６％とし、ガスケット３の断面積は、第一ケース部材１におけるガスケット保持溝１１の底面１１ａと第二ケース部材２との間で圧縮されたときの、前記ガスケット保持溝１１に対するガスケット３の充填率が１００％未満となるように設定される。
【００２５】
なお、本発明の防水構造は、携帯電話機に限らず、例えばディジタルカメラや携帯端末機など、他の電子機器の防水手段としても実施可能である。
【図面の簡単な説明】
【００２６】
【図１】本発明に係る電子機器の防水構造の第一の形態を示す断面図である。
【図２】本発明に係る電子機器の防水構造の第一の形態において、ガスケットに外力が作用した状態を示す断面図である。
【図３】本発明に係る電子機器の防水構造の第二の形態を示す断面図である。
【図４】本発明に係る電子機器の防水構造の第三の形態を示す断面図である。
【図５】従来技術による電子機器の防水構造を示す断面図である。
【図６】従来技術による電子機器の防水構造において、ガスケットが外力により倒れた状態を示す断面図である。
【符号の説明】
【００２７】
１  第一ケース部材
１１  ガスケット保持溝
１１ａ  底面
１１ｂ  溝肩
２  第二ケース部材
３  ガスケット
３１  メインシール部
３２  着座シール部
３３  肩部
【図１】
2008249139.tif 000003
【図２】
2008249139.tif 000004
【図３】
2008249139.tif 000005
【図４】
2008249139.tif 000006
【図５】
2008249139.tif 000007
【図６】
2008249139.tif 000008